(57)【要約】      （修正有）【課題】飲料容器断熱体本体の外側面および内側面の開口部近くに判読可能なテキストの表示部を提供する。【解決手段】飲料容器断熱体１０は、第１端部に開口部を有した円筒体と第２端部を閉じる板状体とを画定する本体を含むことができ、本体によって画定された内側面は飲料容器を受け取ることができ、外側面は内側面とは反対側に本体によって画定され、この飲料容器断熱体は外側面の開口部よりも板状体に近くに配置された第１パターン４４の表示部と、飲料容器断熱体の内側面の板状体よりも開口部に近く配置されるように配向された第２パターンの表示部に判読可能なテキストを形成する。【選択図】図１
2019108164.tif 000002
【特許請求の範囲】
【請求項１】
飲料容器断熱体であって、
第１端部に開口部を有した円筒体と、該第１端部とは反対側の第２端部を閉じる板状体とを画定している本体と、
前記本体によって画定され、飲料容器を受け取るように構成されている内側面と、
前記内側面の反対側であり、前記本体によって画定されている外側面と、
前記外側面に配置されている第１パターンの表示部であって、該第１パターンの表示部は判読可能なテキストを形成しており、該判読可能なテキストの底縁部が前記開口部よりも前記板状体に近く配置されるように配向されている、第１パターンの表示部と、
前記内側面上に配置されている第２パターンの表示部であって、該第２パターンの表示部は判読可能なテキストを形成しており、該判読可能なテキストの底縁部が前記板状体よりも前記開口部に近く配置されるように配向されている、第２パターンの表示部と、
を含んでいる、飲料容器断熱体。
【請求項２】
前記第１パターンの表示部の前記判読可能なテキストの上縁部は、前記開口部よりも前記板状体に近く配置されている、請求項１記載の飲料容器断熱体。
【請求項３】
前記第２パターンの表示部の前記判読可能なテキストの上縁部は、前記板状体よりも前記開口部に近く配置されている、請求項２記載の飲料容器断熱体。
【請求項４】
前記本体は、折り返しができるように構成されている第１パネル部と第２パネル部とをさらに含んでおり、前記第１パターンの表示部と前記第２パターンの表示部は同時に露出され、同時に判読が可能となる、請求項３記載の飲料容器断熱体。
【請求項５】
前記本体は、前記板状体の中央を通過する軸の両側で互いに鏡像的に配置されている、前記板状体に形成されている第１開口と第２開口とをさらに含んでいる、請求項１記載の飲料容器断熱体。
【請求項６】
前記本体は、裏返して表側を内側にするように選択的に引き下げ可能となるように構成されており、表側が内側にされたとき、前記内側面は前記外側面によって包囲され、裏返されたとき、該内側面は該外側面を包囲する、請求項５記載の飲料容器断熱体。
【請求項７】
前記第１開口と前記第２開口の少なくとも一方は矩形の外周を有している、請求項５記載の飲料容器断熱体。
【請求項８】
前記第１開口と前記第２開口は、前記本体が平坦になったとき、互いに整列する、請求項５記載の飲料容器断熱体。
【請求項９】
前記第１開口と前記第２開口の少なくとも一方は矩形の外周を有している、請求項５記載の飲料容器断熱体。
【発明の詳細な説明】
【技術分野】
【０００１】
本願は２０１８年５月９日に出願された米国特許願第１５／９７５２１５号「飲料容器断熱体」の一部継続出願である。本出願はまた２０１７年１１月６日に出願された米国仮特許願第６２／５８２０８７号「折畳み型飲料断熱システム」の優先権を主張する。
【０００２】
本発明は、協力特許分類システムのＢ６５Ｄ８１／３８７６に存在する缶、瓶、樽、等々のための断熱スリーブまたは断熱ジャケットに関する。
【背景技術】
【０００３】
米国特許公開２０１２／０２４３８０８は断熱されたライナーおよび容器を開示する。断熱された運搬用ライナーは、外側縁部の周囲で共に封止されて収容体を形成している第１層と第２層を有したフレキシブルな封止袋体を含んでいる。フォーム材料で成る単体のシート製である断熱層が収容体内に配置されており、第１側部、第２側部および中央部が、略矩形の箱形態物を創り出すべく折り畳めるように構成されており、それら第１側部と第２側部は箱形態物の対面側部を画定しており、中央部は箱形態物の底部を画定しており、実質的に矩形である上平面は箱形態物の上部の少なくとも一部を画定しており、対面する実質的に矩形である第１側縁出部と第２側縁出部は、箱形態物の他方の対面側部の少なくとも一部を画定している。この箱形態物は容器内に配置され、運搬及び／又は保管のために断熱された容器を形成することができる。
【０００４】
米国特許４５４０６１１は折畳み型の断熱された飲料容器ホルダーを開示する。この特許は、表面ビニールフィルムでラミネート加工されたオープンセル（連続気泡）またはクローズドセル（独立気泡）の断熱フォーム材によるシートからダイカットされる開放上部を備えた飲料容器ホルダーの形態である一体型飲料断熱体を開示する。この一体型飲料断熱体のダイカットパターンは、最終的なホルダーによって保持される飲料容器の底部に形状一致するように形状化された中央底部により結合されている２つの鏡像形状である側部半分体の形状である。このダイカットホルダーパターンは、側部半分体同士は整合させるが、側部半分体の内側フォーム側部を外側に向けた状態で自身上に折り畳まれ、側縁部は縫合されるかビニール溶着され、その後にホルダーは、その開放上部を通って裏返され、ビニール面を外側に戻す。この最終形態のホルダーは折り畳まれた平坦状態にて保管され、ホルダーにより保持および断熱されるように飲料缶または他の飲料容器を受け取るときに開かれる。
【０００５】
ここに提供される背景の説明は開示内容を汎用的に提示する目的のためのものである。この背景のカテゴリで説明される限りにおける本発明者による為された成果、並びに出願時には従来技術として認められないような記述の様態は、本発明に対する従来技術としては明示的にも暗示的にも受け入れられない。
【発明の概要】
【発明が解決しようとする課題】
【０００６】
（対応する記載なし）
【課題を解決するための手段】
【０００７】
飲料容器断熱体は、筒形状体を画定し、第１端部に開口部と、第１端部の反対側の第２端部を閉じる板状体（面部）とを有する本体を含むことができる。内側面はこの本体によって画定することができ、飲料容器を受け取るように構成できる。外側面は内側面に対面するように本体によって画定できる。この飲料容器断熱体は外側面に配置された第１パターンの表示部も含むことができる。この第１パターンの表示部は、判読可能な文言の底縁が、その開口形状部よりも板状体に近く配置されるように配向されている判読可能な文言を提供している。この飲料容器断熱体は内側面上に配置された第２パターンの表示部も含むことができる。この第２パターンの表示部は、判読可能なテキスト（文言）の底縁が板状体よりも開口形状部に近く配置されるように配向された判読可能なテキストを提供している。
【０００８】
以下に記載した詳細な説明は次の図面を活用する。
【図面の簡単な説明】
【０００９】
【図１】本発明の典型的な実施例を構成するのに使用が可能な空白部分（未完成体）の平面図である。
【図２】図１に示す空白部分の底面図である。
【図３】図１と図２に示す空白部分から形成された飲料容器断熱体の正面図であり、この飲料容器断熱体は第１の形態に変形されている。
【図４】図１と図２に示す空白部分から形成された飲料容器断熱体の正面図であり、この飲料容器断熱体は第２の形態に変形されている。
【図５】この飲料容器に取り付けられており、第１の形態（未折返し形態）である飲料容器断熱体の斜視図である。
【図６】この飲料容器に取り付けられており、第２の形態（折返し形態）になっている飲料容器断熱体の斜視図である。
【図７】さらなる活用のために裏返しになっている飲料容器断熱体の斜視図である。
【図８Ａ】飲料容器断熱体の開口の様々な周囲形状を図示している。
【図８Ｂ】飲料容器断熱体の開口の様々な周囲形状を図示している。
【図８Ｃ】飲料容器断熱体の開口の様々な周囲形状を図示している。
【図８Ｄ】飲料容器断熱体の開口の様々な周囲形状を図示している。
【発明を実施するための形態】
【００１０】
本発明は、実質的に従来の概念と構成とから決別する飲料容器断熱体を提供する。本発明は、飲料容器を受け取り、その飲料容器を断熱するように設計されている製品を提供する。しかしながら、本発明は、外側面に第１セットの表示部を備え、内側面に第２セットの表示部を備えた製品を提供する。この第１セットの表示部は第１メッセージを伝達でき、この第２セットの表示部は第２メッセージを伝達できる。本発明は、飲料容器を安全、便利および経済的に断熱できる製品を提供する。
【００１１】
従来技術において現在存在する知られた構成と形態の知られたタイプの飲料断熱物に固有である弱点に鑑み、本発明は改善された飲料容器断熱体を提供する。よって、以下で詳細に説明する本発明の汎用目的は、従来技術の全ての利点を有し、弱点を一切有しない新規で改良された飲料容器断熱体を提供することである。この点において、本発明の少なくとも１つの実施例を詳細に説明する前に、本発明は、その適用が、以下で説明され、または図面に図示されている典型例の実施態様の構成の細部および構造には限定されないことは理解されるべきである。本発明の他の実施態様は様々に実施および実行できる。また、ここで採用された表現および専門用語は本発明の説明の目的に供するものであり、本発明を限定するものとは理解されるべきではない。
【００１２】
図面に示されている本発明の１実施例は飲料容器断熱体１０により画定されている。典型的な飲料容器断熱体１０は材料の空白部分（余剰部分）１２を含んでいる。典型的な空白部分１２はネオプレンから形成できる。空白部分１２は他の実施態様では、織布、オープンセル（連続気泡）フォーム材、紙、ゴムまたはシリコンなどの別材料で形成できる。エラストマー材料の１例は、粘性と弾性とを備えたポリマーであり、比較的に弱い分子間力を備え、一般的には他の材料と比べて低ヤング率と高破壊歪みを有したものである。エラストマー材料の１例は、ゴムのような弾性を有したものである。あるいは、空白部分（余剰部分）１２は、エラストマー材料の層と布の層とを含んだ材料の組み合わせによって形成できる。
【００１３】
典型的な空白部分（余剰部分）１２は、第１パネル部１４、第２パネル部１６、およびそれらパネル部１４と１６を相互接続する板状体１８を含んでいる。第１パネル部１４は、対向する縁部２０と２２の間で広がり、また対向する縁部２４と２６の間で広がる。第２パネル部１６は、対向する縁部２８と３０の間で広がり、また、対向する縁部３２と３４の間で広がる。板状体１８は、対向する縁部２４と３２の間で広がる。板状体１８は、縁部２４に沿って第１パネル部１４に相互接続されている。板状体１８は、縁部３２に沿って第２パネル部１６に相互接続されている。
【００１４】
図１に示す典型的な空白部分１２の上側面６２は、図５で示すように飲料容器断熱体１０の外側側または外面を画定できる。図２に図示する典型的な空白部分１２の底側面６４は、図６で示すように飲料容器断熱体１０の内側面を画定できる。図７は、飲料容器断熱材１０が“裏返し”に図示されている状態を示す。
【００１５】
図３と図４は、略円筒形状を形成するようにさらに手が加えられた空白部分１２を示す。典型的な縁部２０と２８は縫合部３６によって共に固定されている。典型的な縁部２２と３０は縫合部３８によって共に固定されている。図３と図４では、飲料容器断熱体１０は平坦状態にあり、板状体１８の半分が可視状態である。使用時には板状体１８は平坦であり、縫合されたパネル部１４と１６によって画定されている円筒体の部分的に閉じられた底側部を画定する。折線は図の点線によって表されている。その他の構造の明示化のため縫合部は図５と図６では省略されている。
【００１６】
このようにパネル部１４と１６および板状体１８は飲料容器断熱体１０の本体４０を形成する。典型的な本体４０は一般的に円筒形状であるが、本発明の他の実施態様においては異なる形状であってもよい。図２に示される表面は略円筒形状の本体４０の内側面を示している。本体４０によって画定されている内側面は、飲料容器断熱体１０が使用されているときに飲料容器を受けて接触する。図１は、略円筒形状の本体４０の外側面を示している。この外側面は本体４０に対して内側面の反対側である。
【００１７】
縁部２６と３４は協調して略円筒形状の本体４０の内部の開口部４２を画定している。飲料容器はこの開口部４２を介して本体４０内に受け入れられることができる。板状体１８は略円筒状の本体４０の内部の閉じられた端部を画定している。飲料容器は開口部４２を介して受け入れられた後に板状体１８上に支えられことができ、パネル部１４と１６によって包囲される。
【００１８】
飲料容器断熱体１０は表示部の第１パターン４４も含む。この表示部の第１パターン４４は本体の外面上に配置されている。表示部の第１パターン４４は、判読可能なテキストを形成しており、判読可能なテキストの底縁部４６が開口部４２よりも板状体１８の近くとなるように配置されている。表示部の第１パターン４４の上縁部４８は、開口部４２よりも板状体１８に近いように配置されている。表示部の複数のパターンは図１に示している表面に位置することができる。
【００１９】
飲料容器断熱体１０はまた内側面に配置された第２パターン５０の表示部を含むこともできる。この第２パターン５０の表示部は、判読可能なテキストを形成し、その判読可能なテキストの底縁部５２が板状体１８より開口部４２に近くなるように配置されている。第２パターン５０の表示部の判読可能なテキストの上縁部５４は板状体１８よりも開口部４２に近く配置されている。
【００２０】
図５に示すように、利用時には、飲料容器断熱体１０は開口部４２を介して飲料容器５６を受け取ることができる。飲料容器５６は、板状体１８に支持され、パネル部１４と１６によって囲まれることができる。第１パターン４４の表示部は本体４０の外側面に判読可能なテキストを形成する。
【００２１】
図６に示すように、使用時には本体４０の上端部は折り重ねられ、あるいは折り返されることができる。折り返され、あるいは折り重ねられた本体４０の部分には番号５８が付されている。第２パターン５０の表示部は本体４０の折り返し部分で露出される判読可能なテキストを形成する。典型的な第１パネル部１４と第２パネル部１６の両方は折り畳まれるように構成されており、第１パターン４４と第２パターン５０の表示部の両方は同時的に露出され、同時的に判読が可能になる。
【００２２】
飲料容器断熱体１０は、第１パターン４４と第２パターン５０の表示部のための単に支持部として機能するだけではない。第１パターン４４と第２パターン５０の表示部によって画定されているそれぞれの判読可能なテキストは、メッセージあるいは内容を飲料容器に関わる人に伝えるべく方向付けされている。１実施例においては、第１パターン４４の表示部の判読可能なテキストと第２パターン５０の表示部の判読可能なテキストは飲み物の異なる種類を伝えることができる。例えば、第１パターン４４の表示部の判読可能なテキストは「ソーダ」または「コーヒー」を表示でき、第２パターン５０の表示部の判読可能なテキストは「ダイエット」または「カフェイン抜き」を表示できる。このように普通の飲料容器断熱体１０は異なる種類の飲み物を断熱するのに利用でき、断熱されている特定の飲み物の種類をユーザに知らせることができる。もし飲み物がソーダであり、ユーザは飲料容器断熱体１０が折り重ねられていないなら、ユーザは「ソーダ」の文字を見るであろう。ダイエットソーダが好きな別ユーザは、「ダイエット」と「ソーダ」が可視化されるように（見えるように）折り曲げられているとき、飲料容器断熱体１０によって断熱されている飲み物を選択できる。
【００２３】
別実施例においては、折り返された部分５８は第１パターン４４の表示部を覆うように十分に長く延出できる。第１パターン４４の表示部の判読可能なテキストは「コーラ」を表示でき、第２パターン５０の表示部の判読可能なテキストは「ルートビール」を表示できる。飲料容器断熱体１０に飲料容器５６を取り付ける人物は、飲料容器の中身に基づいて必要なだけ開口部を折り重ねることができる。よって、１体の飲料容器断熱体１０は異なる種類の飲み物に利用できる。
【００２４】
機能的な関係を示す、さらに別な例としての本発明の１以上の実施例においては、第１パターン４４の表示部の判読可能なテキストは飲み物の種類を伝えることができ、第２パターン５０の表示部の判読可能なテキストは飲み物に関する栄養情報を伝えることができる。さらに、第２パターン５０の表示部は、飲料容器の飲み物の量に則した水平線を含むことができる。例えば、ユーザは、折り返された部分５８の上縁部６０（図６）が飲料容器内の飲み物の高さと一致するまで本体４０を折り畳むことができる。第２パターン５０の表示部は、そのときに、判読可能なテキストがユーザに消費された飲み物の量、残りの飲み物の量、及び／又はいずれか一方の量の栄養特性を通知するように設計できる。
【００２５】
典型的な飲料容器断熱体１０はさらに第１開口６６と第２開口６８を含むこともできる。典型的な第１開口６６および第２開口６８は板状体１８内に形成されている。これら典型的な第１開口６６と第２開口６８は板状体の中央を通る軸の両側で互いに鏡像対称関係に提供されている。これは、図１と図２に示されており、軸には番号７０が付与されている。
【００２６】
典型的な本体４０は裏返して表側が内側になるように選択的に引っ張られるように構成されている。図３と図５は、表側が内側になるように構成された本体４０を示す。図７は別な使用のために裏返しに構成された飲料容器断熱体の斜視図である。図４と図６は部分的に折り畳まれた本体４０を示しており、裏返された状態と表側が内側となる状態の間の形態を示す。本体４０が裏返されたとき、内側面６４は外側面６２を包囲する。
【００２７】
第１開口６６と第２開口６８は、本体４０が平坦化されるか、板状体１８が図７で示すように平坦ではないときに互いに整合する。構造物は開口６６と６８には受領できず、飲料容器断熱体は別な構造物から垂らされるか吊り下げられる。例えば、飲料容器断熱体１０は壁に取り付けられたフックに置くことができる。あるいは、飲料容器断熱体１０は開口６６と６８を通る鎖またはプラスチック紐でブリーフケースに吊るすことができる。
【００２８】
開口６６および６８の機能と組み合わされたとき、表示部の構成はさらに別な利点を提供する。例えば、第２パターン５０の表示部は、飲料容器断熱体１０が吊り下げられ、裏返されたとき可視化できる。第２パターン５０の表示部は本体４０によって断熱される飲み物に無関係な情報を伝達できるが、飲料容器断熱体１０を吊り下げている構造物に関する情報は除く。例えば、飲料容器断熱体１０はゴルフバッグから吊り下げることができる。第２パターン５０の表示部はゴルフバッグの所有者の名前でもよく、第１パターン４４の表示部は断熱される飲み物を特定することができる。
【００２９】
典型的な第１開口６６と第２開口６８は矩形の外周を有する。しかし、本発明の他の実施例においては、それら開口は異なる形状でもよい。図８Ａから図８Ｄは、飲料容器断熱体の実施例の別形状の開口の様々な外周形状を示している。図８Ａから図８Ｄは開口６６の別実施例を示しており、図示はしないが、隣接する開口６８は開口６６のそれぞれの別実施例と同様に形成できる（軸７０も図示）。開口６６ａは部分的に矩形であり、ノッチ部７２ａを含んでいる。ノッチ部７２ａは飲料容器断熱体１０を吊るために使用される紐または固定具または他の構造物を受領でき、飲料容器断熱体１０と表示部の配向性がより良く調節できる。開口の実施例６６ｂと６６ｃは、吊り下げられている間、垂直に垂れる飲料容器断熱体１０となるような形状を画定する。開口の実施例６６ｄは、飲料容器断熱体１０のさらなる移動の自由度を可能にする形状を画定する。これら開口は表示部を有しない飲料容器断熱体１０の実施例においても利用できる。
【００３０】
本発明は典型的な実施例に関して説明されたが、当業界の技術者であれば、それらに様々な変更が可能であり、本発明の範囲から逸脱せずにそれらの要素を均等代替物によって置換することが可能であることを理解しよう。さらに、本発明の教示に対して、その本質的な範囲を外れずに、特定の状況あるいは材料に対応する多くの改造が可能である。よって本発明は、本発明を実施するために考えられる最良形態としての開示されている特定の実施形態に限定されることはなく、本発明には「請求の範囲」の技術範囲内の全ての実施形態を含ませることが意図されている。他の特許文献において、その他の本発明の開示としてここに開示されている要素及び／又は下位の組み合わせに対する権利は無条件に留保されている。
【図１】
2019108164.tif 000003
【図２】
2019108164.tif 000004
【図３】
2019108164.tif 000005
【図４】
2019108164.tif 000006
【図５】
2019108164.tif 000007
【図６】
2019108164.tif 000008
【図７】
2019108164.tif 000009
【図８Ａ】
2019108164.tif 000010
【図８Ｂ】
2019108164.tif 000011
【図８Ｃ】
2019108164.tif 000012
【図８Ｄ】
2019108164.tif 000013
【外国語明細書】
2019108164000001.pdf